(57)【要約】【課題】雪除けカバー板のカバー支持具の取付が迅速且つ容易にできる軒樋吊具構造を提供することを目的とする。【解決手段】吊具本体３５に雪避けカバー４０ａ用の支持片４０が立設され、支持片４０の下部に固定板４１を備える。この固定板４１が係止手段４３によって吊具本体３５に係止される。係止手段４３は固定板４１の軒先３８側の一端部４１ａを切欠く凹部４４と、この固定板４１における他端部４１ｂと支持片４０との中間領域に形成される係止孔４５と、凹部４４と係止孔４５にそれぞれ挿入且つスライドして固定板４１を吊具本体３５に係止する断面Ｌ字状の第一係止部４６と第二係止部４７と、から構成される。取付作業は最初に支持片４０を傾斜させて固定板４１の係止孔４５を第二係止部４７に挿入させながら固定板４１を回転して上板材３５ａに載せた後、固定板４１を水平移動して凹部４４を第一係止部４６に固定する。【選択図】図１
2010007303.tif 000002
【特許請求の範囲】
【請求項１】
軒先に軒樋を吊下げる軒樋吊具構造であって、
前記軒樋は前壁と後壁と底壁とから成り、前記前壁と後壁の上端部に前耳部と後耳部を備え、前記軒樋吊具は吊具本体の前端部と後端部に前記前耳部と後耳部を係止する前耳係止部と後耳係止部を備えて所定間隔で軒先の鼻板に固定され、
前記吊具本体に立設される支持片の上部に雪避けカバーが軒先に沿って保持され、前記支持片の下部に備える固定板を前記吊具本体に係止する係止手段が前記固定板の一端部を切欠く凹部と、この固定板の他端部と前記支持片の下部の中間領域に形成される係止孔と、前記吊具本体に設けられ前記凹部と係止孔に挿入且つスライドして前記固定板を係止する断面Ｌ字状の第一係止部と第二係止部と、から成ることを特徴とする軒樋吊具構造。
【請求項２】
請求項１に記載の軒樋吊具構造であって、前記第二係止部は前記係止孔に挿入且つスライドした状態で前記固定板の他端部を係止する突起を備えることを特徴とする軒樋吊具構造。
【発明の詳細な説明】
【技術分野】
【０００１】
本発明は軒樋内に落葉や雪が堆積して軒樋が破損するのを防止する軒樋吊具構造に関し、詳しくは、軒樋吊具に固着される雪避けカバー用の支持片の取付が容易に実施できる軒樋吊具構造に関する。
【背景技術】
【０００２】
従来、軒樋内に落葉等が詰まって雨水が軒樋から溢れたり、積雪地で軒樋に入った雪の自重によって軒樋が破損することがあった。この問題を解決する方法として特許文献１の内容が知られている。図９に示すように、特許文献１の軒先に沿って配置される軒樋２用の軒樋吊具１８に雪除けカバー４が取付けられる。
【０００３】
雪除けカバー４は、軒樋２の前側上縁３と一体となった前カバー部６と、前カバー部６の後方に分割された後カバー部７とで形成され、前カバー部６と後カバー部７との間に雨水流入間隙８が設けられている。より詳しくは、軒樋２の前壁１１は前方へ膨曲する形状に形成され、前壁１１に斜め上方へ傾斜するように延設された前カバー部６が形成される。
【０００４】
樋樋吊具１８は、軒先１７に固定釘１９によって固定される取着体２０と、取着体２０より前方へ突設される支持体２１と、支持体２１の前端部分に六角ボルト２２と蝶ナット２３とによって結合固着される樋保持体２４と、樋保持体２４の前端部分にリベット２５によって結合固着されて後上方へと傾倒するように立設される前縦片体２６とで形成されている。そして、後カバー部７用の支持片２９の水平方向に折曲した下端片部分が同様に六角ボルト２２、蝶ナット２３によって支持体２１に重ね結合される。
【特許文献１】特開平７−６２８１５号公報
【発明の開示】
【発明が解決しようとする課題】
【０００５】
ところが、雪除けカバー４の後カバー部７の支持片２９を支持体２１に六角ボルト２２、蝶ナット２３によって取付る際に、支持片２９を保持しながら六角ボルト２２と蝶ナット２３を螺合する作業は手間が係るので作業効率が悪いという問題があった。
【０００６】
そこで、本発明は雪除けカバーの支持片の取付が迅速且つ容易にできる軒樋吊具構造を提供することを目的とする。 
【課題を解決するための手段】
【０００７】
請求項１の発明は、軒先に軒樋を吊下げる軒樋吊具構造であって、前記軒樋は前壁と後壁と底壁とから成り、前記前壁と後壁の上端部に前耳部と後耳部を備え、前記軒樋吊具は吊具本体の前端部と後端部に前記前耳部と後耳部を係止する前耳係止部と後耳係止部を備えて所定間隔で軒先の鼻板に固定され、前記吊具本体に立設される支持片の上部に雪避けカバーが軒先に沿って保持される。
【０００８】
そして、前記支持片の下部には固定板を備え、この固定板を介して前記支持片を前記吊具本体に係止する係止手段が、前記固定板の一端部を切欠く凹部と、この固定板の他端部と前記支持片の下部の中間領域に形成される係止孔と、前記吊具本体に設けられ前記凹部と係止孔に挿入且つスライドして前記固定板を係止する断面Ｌ字状の第一係止部と第二係止部と、から成る。
【０００９】
請求項２の発明は、請求項１に記載の軒樋吊具構造であって、前記第二係止部は前記係止孔に挿入且つスライドした状態で前記固定板の他端部を係止する突起を備える。
【発明の効果】
【００１０】
請求項１記載の発明によれば、前記固定板の一端部の凹部が断面Ｌ字状の前記第一係止部に挿入且つスライドした状態で容易且つ確実に係止できる。また、前記第二係止部も断面Ｌ字状なので前記係止孔に挿入して前記固定板をスライドさせることで前記固定板の他端部が前記第二係止部によって容易且つ確実に係止される。そして、スライドするだけでワンタッチで取付・取外ずしができるので現場作業効率が向上する。
【００１１】
請求項２の発明によれば、前記第二係止部は前記係止孔に挿入且つスライドした状態で前記固定板の他端部を係止する突起を備えるので、この突起によって前記固定板の他端部が抜けることなく確実に係止できる。
【発明を実施するための最良の形態】
【００１２】
＜軒樋吊具の構成＞
以下に、本発明の実施形態を図１〜図４に基づいて説明する。図１、図２、図３、図４に示すように、軒樋３１は前壁３１ａと後壁３１ｂと底壁３１ｃとから成り前壁３１ａは軒樋３１の外部側に少し傾斜している。前壁３１ａの上端部は軒樋３１の内部側に折れ曲がる断面略台形状の前耳部３２を備え、後壁３１ｂの上端部は軒樋３１の内部側に折れ曲がる後耳部３３を備える。
【００１３】
軒樋３１を吊下げる軒樋吊具３４の吊具本体３５は略平行な上板材３５ａと下板材３５ｂが垂直材３５ｃで断面Ｈ字形状に形成され、吊具本体３５の前端部に軒樋３１の前耳部３２を嵌合収納するため上方に突出する前耳係止部３５ｄを備える。吊具本体３５の後端部は軒先の鼻板３７に固定されるとともに、後端部の近傍に軒樋３１の後耳部３３を係止する後耳係止部３５ｅを備える。軒樋吊具３４は所定間隔で鼻板３７に軒先３８に沿って複数組が配置される。
【００１４】
吊具本体３５に支持片４０が立設され、この支持片４０の上部に雪避けカバー４０ａが軒先３８に沿って連続するように保持される。より詳しくは、支持片４０の下部に水平状の固定板４１を備え、この固定板４１の両端部が係止手段４３によって吊具本体３５に係止される。ここで、吊具本体３５の上板材３５ａは係止手段４３が形成される領域を含んで同一水平面で形成される。
【００１５】
係止手段４３は固定板４１の軒先３８側の一端部４１ａを切欠く凹部４４と、固定板４１の他端部４１ｂと支持片４０の下部で囲まれる中間領域に形成された係止孔４５と、吊具本体３５に設けられ凹部４４と係止孔４５にそれぞれ挿入且つスライドして固定板４１を吊具本体３５に係止する断面Ｌ字状の第一係止部４６と第二係止部４７と、から構成される。固定板４１は厚さＴで全幅は吊具本体３５の上板材３５ａと同じ幅に形成される。
【００１６】
凹部４４は幅Ｗ１、長さ方向の深さＳ１の矩形形状である。係止孔４５は幅Ｗ２、長さＳ２の矩形形状で、係止孔４５と他端部４１ｂの縁幅はＳ３である。第一係止部４６は立設部４６ａと頂部４６ｂが直角に連結する断面Ｌ字状で、立設部４６ａは幅Ｗ３、厚さＤ１で、頂部４６ｂは長さＳ４、幅Ｗ３、隙間Ｈ１で形成される。第二係止部４７は立設部４７ａと頂部４７ｂが直角に連結する断面Ｌ字状で、立設部４７ａは幅Ｗ４、厚さＤ２で、頂部４７ｂは長さＳ５、幅Ｗ４、隙間Ｈ２で形成され先端部Ｐは曲面状に形成される。
【００１７】
各寸法の関係は幅Ｗ１＝幅Ｗ３、厚さＴ＝Ｈ１で、凹部４４に第一係止部４６が挿入可能に形成されるので、凹部４４と第一係止部４６によって固定板４１の一端部４１ａが吊具本体３５の上板材３５ａに係止される。
【００１８】
一方、幅Ｗ２＝幅Ｗ４、厚さＴ≦Ｈ２で、係止孔４５に第二係止部４７が挿入且つスライド可能に形成される。そして、第二係止部４７に係止孔４５に挿入且つスライドした状態で固定板４１の他端部４１ｂを確実に係止するため、突起４７ｃが立設部４７ａから長さＳ６隔てて頂部４７ｂの下部に形成される。突起４７ｃの厚さＤ３は頂部４７ｂが弾性的に撓んで他端部４１ｂを容易に乗越えたのち他端部４１ｂを確実に係止できるとともに取外しも可能な寸法に設定される。このため、係止孔４５に第二係止部４７が挿入且つスライドして他端部４１ｂを係止することができる。
【００１９】
＜支持片４０と雪避けカバー４０ａの形状＞
支持片４０は吊具本体３５の上板材３５ａと同じ幅の板材５１が補強材５２によって断面Ｔ字形状に形成され、上端部において板材５１は屋根勾配に対応して上方に傾斜し補強材５２より突出して第一保持部５１ａが形成される。板材５１の上端部の近傍における位置５１ｂで、補強材５２と反対側に水平材５１ｃと上方に延びる垂直材５１ｄとが連続して形成され、垂直材５１ｄの上端部が屋根勾配に対応して下方に傾斜して第二保持部５１ｅが形成される。
【００２０】
雪避けカバー４０ａの断面形状は、平板材５５が前端部５５ａと後端部５５ｂでそれぞれ下方に空間部を形成するように平板材５５と平行にそれぞれ折り曲げられた後、平板材５５との間に対向する状態で凹部５５ｃ、５５ｄを形成して平板材５５に連結される。
【００２１】
雪避けカバー４０ａを支持片４０に取付ける場合は、雪避けカバー４０ａを立てた状態にして雪避けカバー４０ａの凹部５５ｃを支持片４０の第一保持部５１ａに差し込んだ状態で回転させ、凹部５５ｄを第二保持部５１ｅに弾性変形させて嵌入する。あるいは、雪避けカバー４０ａの長さ方向の一端部から、凹部５５ｃを第一保持部５１ａ、凹部５５ｄを第二保持部５１ｅに挿入して軒先３８と平行にスライドして差し込むこともできる。
【００２２】
軒樋吊具３４と支持片４０はポリカーボネート樹脂や亜鉛鍍金鋼板、ステンレス材で形成される。雪避けカバー４０ａは異形押出成形を容易にするため合成樹脂材料が用いられ、例えば曲げ加工、切断加工が容易で積雪荷重に耐える強度を持ったＰＣ樹脂が用いられる。
＜軒樋吊具の作用＞
【００２３】
図５〜図８を用いて、吊具本体３５に支持片４０を立設する作業を説明する。図５に示すように、支持片４０を傾斜させて矢印Ｍ１の方向に移動させながら固定板４１の係止孔４５を第二係止部４７に被せて挿入する。図６に示すように、係止孔４５を第二係止部４７に挿入させながら矢印Ｍ２の方向に回転して凹部４４を第一係止部４６に近接下降させる。ここで、第二係止部４７の頂部４７ｂは先端部Ｐに曲面を備えるので、第二係止部４７は係止孔４５に挿入しながら容易に回転できる。
【００２４】
図７に示すように、凹部４４が第一係止部４６に隣接する位置で固定板４１を吊具本体３５の上板材３５ａに載置する。さらに、図８に示すように、固定板４１を矢印Ｍ３の方向に水平移動して係止孔４５を第二係止部４７に、凹部４４を第一係止部４６に密着固定させる。このとき、突起４７ｃが他端部４１ｂを容易に乗越えたのち他端部４１ｂに係止する。なお、上記吊具本体３５の上板材３５ａは第一係止部４６と第二係止部４７を含む領域は同一水平面で形成されるので、図７、図８において固定板４１は円滑に水平移動できる。
【００２５】
図５〜図８の動作を通して係止孔４５を第二係止部４７に、凹部４４を第一係止部４６にそれぞれスムーズに挿入とスライドができ且つ固定できるように各形状及び寸法は調整される。
【００２６】
以上、本発明の実施例を図面に基づいて説明したが、具体的な構成はこの実施例に限られるものではなく本発明の要旨を逸脱しない範囲の設計変更等があっても本発明に含まれる。
【００２７】
例えば、固定板４１を建物方向に水平移動して係止孔４５を第二係止部４７に、凹部４４を第一係止部４６に密着固定させる代わりに、固定板４１を建物から離れる方向に水平移動して密着固定するように各部材の構成を逆方向に形成しても構わない。固定板４１の両端部側に一対の係止孔４５を形成して一対の第二係止部４７の突起４７ｃでそれぞれ両端部を係止する構成でもよい。
【図面の簡単な説明】
【００２８】
【図１】本発明の実施形態における、吊具本体３５に雪避けカバー４０ａ用の支持片４０が立設され、支持片４０の下部の固定板４１が係止手段４３によって吊具本体３５に係止される状態を示す側面図である。
【図２】本発明の実施形態における、係止手段４３の凹部４４と係止孔４５の状態を示す斜視図である。
【図３】本発明の実施形態における、係止手段４３の凹部４４に対応する第一係止部４６の状態を示す斜視図である。
【図４】本発明の実施形態における、係止手段４３の係止孔４５に対応する第二係止部４７の状態を示す斜視図である。
【図５】本発明の実施形態における、支持片４０を傾斜させて固定板４１の係止孔４５を第二係止部４７に被せて挿入する状態を示す側面図である。
【図６】本発明の実施形態における、係止孔４５を第二係止部４７に挿入させながら凹部４４を第一係止部４６に近接下降させる状態を示す側面図である。
【図７】本発明の実施形態における、凹部４４が第一係止部４６に衝突しない位置で固定板４１を吊具本体３５の上板材３５ａに載せた状態を示す側面図である。
【図８】本発明の実施形態における、固定板４１を水平移動して係止孔４５を第二係止部４７に、凹部４４を第一係止部４６に係止させた状態を示す側面図である。
【図９】従来の、雪避けカバー４が軒先に沿って軒樋吊具１８の上方に支持片２９を介して配置される状態を示す側面図である。
【符号の説明】
【００２９】
３５  吊具本体
３５ａ  上板材
３８  軒先
４０  支持片
４０ａ  雪避けカバー
４１  固定板
４１ａ  一端部
４１ｂ  他端部
４３  係止手段
４４  凹部
４５  係止孔
４６  第一係止部
４７  第二係止部
【図１】
2010007303.tif 000003
【図２】
2010007303.tif 000004
【図３】
2010007303.tif 000005
【図４】
2010007303.tif 000006
【図５】
2010007303.tif 000007
【図６】
2010007303.tif 000008
【図７】
2010007303.tif 000009
【図８】
2010007303.tif 000010
【図９】
2010007303.tif 000011